(57)【要約】本発明の実施形態によれば、放送メディア信号は放送メディア受信器で受信される。放送メディア信号はテキストデータを含んでいる。このテキストデータは抽出され、無線結合を通じて無線端末へ送信される。
2006506894.tif 000002
【特許請求の範囲】
【請求項１】
放送メディア信号に埋め込まれたテキストデータを表示するための方法であって、
テキストデータを含む放送メディア信号を、放送メディア受信器で受信するステップと、
前記テキストデータを前記放送メディア信号から抽出するステップと、
前記テキストデータを、無線結合を通じて無線端末へ送信するステップとを有することを特徴とする方法。
【請求項２】
前記放送メディア信号がテレビ信号を含むことを特徴とする請求項１記載の方法。
【請求項３】
前記放送メディア信号がビデオ信号を含み、
前記テキストデータが前記ビデオ信号に関するクローズドキャプションテキストデータを含むことを特徴とする請求項２記載の方法。
【請求項４】
前記放送メディア信号が音声信号を含むことを特徴とする請求項１記載の方法。
【請求項５】
前記テキストデータが論理ネットワークアドレスを含むことを特徴とする請求項１記載の方法。
【請求項６】
前記テキストデータを無線結合を通じて無線端末へ送信するステップが、前記テキストデータをブルートゥース無線プロトコルに従って送信するステップを含むことを特徴とする請求項１記載の方法。
【請求項７】
前記テキストデータを無線結合を通じて無線端末へ送信するステップが、前記テキストデータをセルラ通信プロトコルに従って送信するステップを含むことを特徴とする請求項１記載の方法。
【請求項８】
前記テキストデータを無線結合を通じて無線端末へ送信するステップが、前記テキストデータを無線ＬＡＮプロトコルに従って送信するステップを含むことを特徴とする請求項１記載の方法。
【請求項９】
前記テキストデータを無線結合を通じて無線端末へ送信するステップが、前記テキストデータを赤外線通信プロトコルに従って送信するステップを含むことを特徴とする請求項１記載の方法。
【請求項１０】
前記放送メディア信号が前記テキストデータの表示の体裁を整えるための命令を含むとともに、
前記命令を前記放送メディア信号から抽出するステップと、
前記命令を無線結合を通じて前記無線端末へ送信するステップとをさらに含むことを特徴とする請求項１記載の方法。
【請求項１１】
前記テキストデータ及び前記命令を前記無線端末で受信するステップと、
前記命令を用いて前記テキストデータの体裁を整えるステップと、
前記体裁が整えられたテキストデータを前記無線端末で表示するステップとを更に有することを特徴とする請求項１０記載の方法。
【請求項１２】
前記命令が前記テキストデータの表示の体裁を、ＨＴＭＬ、ＸＭＬ、ＪＡＶＡ（登録商標）言語、ＢＲＥＷ言語、及びＷＡＰ言語の少なくとも１つに従って規定することを特徴とする請求項１０記載の方法。
【請求項１３】
前記テキストデータが電話番号又は論理ネットワークアドレス、予め規定された文字列、プログラム命令及び／又はソフトウェアコードの少なくとも１つを表しているかどうかを判定するステップをさらに有することを特徴とする請求項１記載の方法。
【請求項１４】
前記テキストデータを無線結合を通じて送信する動作が、
前記テキストデータが電話番号又は論理ネットワークアドレス、予め規定された文字列、プログラム命令及び／又はソフトウェアコードの少なくとも１つを表しているとの判定に応答して実行されることを特徴とする請求項１３記載の方法。
【請求項１５】
電話番号を表す前記テキストデータを前記無線端末で受信するステップと、
前記テキストデータを前記無線端末で表示するステップと、
前記表示されたテキストデータの、ユーザによる選択を検出するステップと、
前記無線端末から、前記選択されたテキストデータによって表される前記電話番号へ発呼するステップとをさらに含むことを特徴とする請求項１３記載の方法。
【請求項１６】
論理ネットワークアドレスを表す前記テキストデータを前記無線端末で受信するステップと、
前記テキストデータを前記無線端末で表示するステップと、
前記表示されたテキストデータの、ユーザによる選択を検出するステップと、
前記無線端末から、前記選択されたテキストデータによって表される前記論理ネットワークアドレスを有するネットワーク装置への接続を開始するステップとをさらに含むことを特徴とする請求項１３記載の方法。
【請求項１７】
前記テキストデータを前記無線端末で表示するステップと、
前記テキストデータが電話番号を表すことの判定に応答して、前記テキストデータを前記無線端末の電話帳に保存するステップとをさらに含むことを特徴とする請求項１３記載の方法。
【請求項１８】
前記テキストデータを前記無線端末で表示するステップと、
前記テキストデータが論理ネットワークアドレスを表すことの判定に応答して、前記テキストデータを前記無線端末のネットワークアドレス帳に保存するステップとをさらに含むことを特徴とする請求項１３記載の方法。
【請求項１９】
前記テキストデータを前記無線端末で受信するステップと、
前記テキストデータを前記無線端末で表示するステップと、
前記表示されたテキストデータの、ユーザによる選択を検出するステップと、
前記ユーザによる選択の検出に応答して、前記無線端末から、前記無線結合を通じて前記無線メディア受信器に記録コマンドを送信するステップと、
前記記録コマンドに応答して、前記放送メディア信号の少なくとも一部を不揮発性媒体に記録するステップとををさらに含むことを特徴とする請求項１３記載の方法。
【請求項２０】
前記放送メディア信号がテレビ信号を含み、
前記テレビ信号の第１のチャネルをビデオディスプレイに表示するステップと、
前記テキストデータを前記無線端末で受信するステップと、
前記テキストデータを前記無線端末で表示するステップと、
前記表示されたテキストデータの、ユーザによる選択を検出するステップと、
前記ユーザによる選択の検出に応答して、前記無線端末から、前記無線結合を通じて前記無線メディア受信器にチャネル変更コマンドを送信するステップと、
前記テレビ信号の第２のチャネルをビデオディスプレイに表示するステップとを更に有することを特徴とする請求項１３記載の方法。
【請求項２１】
放送メディア受信器であって、
テキストデータを含む放送メディア信号を受信する受信器回路と、
前記テキストデータを前記放送メディア信号から抽出するテキストデコーダと、
前記テキストデータを、無線結合を通じて送信する送信器とを有することを特徴とする放送メディア受信器。
【請求項２２】
前記受信器回路が前記放送メディア信号中のテレビ信号を受信することを特徴とする請求項２１記載の放送メディア受信器。
【請求項２３】
前記受信器回路が前記放送メディア信号中のビデオ信号を受信し、
前記テキストデコーダが前記ビデオ信号に関するクローズドキャプションテキストデータを抽出することを特徴とする請求項２２記載の放送メディア受信器。
【請求項２４】
前記受信器回路が前記放送メディア信号中の音声信号を受信することを特徴とする請求項２１記載の放送メディア受信器。
【請求項２５】
前記テキストデコーダが前記放送メディア信号中の論理ネットワークアドレスを抽出することを特徴とする請求項２１記載の放送メディア受信器。
【請求項２６】
前記送信器が前記テキストデータをブルートゥース無線プロトコルに従って送信することを特徴とする請求項２１記載の放送メディア受信器。
【請求項２７】
前記送信器が前記テキストデータをセルラ通信プロトコルに従って送信することを特徴とする請求項２１記載の放送メディア受信器。
【請求項２８】
前記送信器が前記テキストデータを無線ＬＡＮプロトコルに従って送信することを特徴とする請求項２１記載の放送メディア受信器。
【請求項２９】
前記テキストデコーダが、前記放送メディア信号から、前記テキストデータの表示の体裁を整えるための命令を抽出し、
前記送信器が前記命令を前記テキストデータと共に送信することを特徴とする請求項２１記載の放送メディア受信器。
【請求項３０】
前記命令が前記テキストデータの体裁を、ＨＴＭＬ、ＸＭＬ、ＪＡＶＡ（登録商標）言語、ＢＲＥＷ言語、及びＷＡＰ言語の少なくとも１つに従って規定することを特徴とする請求項２９記載の放送メディア受信器。
【請求項３１】
前記テキストデータが電話番号又は論理ネットワークアドレス、予め規定された文字列、プログラム命令及び／又はソフトウェアコードの少なくとも１つを表しているかどうかを判定する比較器回路をさらに有することを特徴とする請求項２１記載の放送メディア受信器。
【請求項３２】
前記テキストデータが電話番号又は論理ネットワークアドレス、予め規定された文字列、プログラム命令及び／又はソフトウェアコードの少なくとも１つを表していると前記比較器回路が判定したこと応答して、前記送信器が、前記テキストデータを送信することを特徴とする請求項３１記載の放送メディア受信器。
【請求項３３】
前記テキストデータが前記放送メディア信号の少なくとも１部の内容を特定し、前記受信器回路が記録命令を受信するように構成され、
前記記録コマンドに応答して、前記送信されたテキストデータによって特定される前記放送メディア信号の少なくとも一部を記録するように構成される記録回路をさらに有することを特徴とする請求項２１記載の放送メディア受信器。
【発明の詳細な説明】
【技術分野】
【０００１】
本発明は放送メディアシステムに関し、特に放送メディア信号内へのテキストメッセージ統合技術に関する。
【背景技術】
【０００２】
一部のテレビ放送信号は、クローズドキャプションのテキストメッセージを含んでいる。これらテキストメッセージは、映画、ニュース放送及び他の番組の最中、テレビ受像機の最下部に時折表示される。一般にクローズドキャプションは番組中で話されている言葉に対応しており、会話に合わせて表示及び非表示されることが多い。クローズドキャプションのテキストメッセージの有用性は、ユーザがテレビ受像機に表示されたテキストを読む能力及び、テキストが消えた後もそのテキストを覚えていられる能力によって制限されうる。
【発明の開示】
【０００３】
本発明の実施形態によれば、放送メディア信号(broadcast media signal)は放送メディア受信器で受信される。放送メディア信号はテキストデータを含んでいる。このテキストデータは抽出され、無線結合(wireless coupling)を通じて無線端末へ送信される。
【０００４】
本発明の別の実施形態によれば、放送メディア信号は、テレビ信号と、クローズドキャプションテキストを構成しうるテキストデータとを含むことができる。更に別の実施形態では、テキストデータはブルートゥース、セルラ又は無線ＬＡＮプロトコルに従って無線端末へ送信されうる。送信されたテキストデータは、電話番号、論理ネットワークアドレス、プログラム命令及び／又はソフトウェアコードを含みうる。そして、無線端末は、その電話番号を用いて発呼したり、論理ネットワークアドレスを用いてネットワーク接続を開始したりすることができる。更に別の実施形態では、送信されたテキストデータが、無線端末がそのディスプレイ用にそのテキストデータをどのような体裁にしうるかについての指示を含みうる。
【発明を実施するための最良の形態】
【０００５】
以下、本発明の代表的な実施形態を示す添付図面を参照しながら、本発明をより詳細に説明する。しかし、本発明は他の様々な形式で実施することが可能であり、ここで説明される実施形態に限定して解釈されるべきではない。むしろ、これらの実施形態は、この明細書を十分且つ完全なものとし、また本発明の範囲を余すところ無く本技術分野に属する当業者に示すために供されるものである。全体を通じ、同様の数字は同様の構成を示す。
【０００６】
本技術分野の当業者には理解されるであろうが、本発明は方法又は装置として実施することができる。従って、本発明はハードウェア、ソフトウェア又はハードウェア及びソフトウェアの観点を組み合わせた実施形態の形式を取りうる。図に示す動作及びそれらの組み合わせは、１つかそれより多い個別の電気部品、１つかそれより多い集積回路（ＩＣ）及び／又は１つかそれより多い特定用途向け集積回路（ＡＳＩＣ）及び／又は特定用途向け回路モジュールといった１つかそれより多い電気回路において実施されうるだけでなく、マイクロプロセッサやデジタルシグナルプロセッサ（ＤＳＰ）のようなコンピュータや他のデータ処理装置において実行可能な、コンピュータプログラム命令によっても実施されうる。また、ある構成要素が他の構成要素に“接続され”又は“結合され”るものとして示される場合、他の構成要素に直接的に接続又は結合されてもよいし、間に別の構成要素が介在していてもよい。一方、ある構成要素が他の構成要素に“直接接続され”又は“直接結合され”るものとして示される場合には、これら構成要素の間に別の構成要素は存在しない。
【０００７】
図１は、無線結合を通じて無線端末２０と通信する、本発明の実施形態に係る放送メディア受信器１０を示す図である。無線端末２０は放送メディア受信器１０から離れて位置していても良い。放送メディア受信器１０は放送メディア信号を受信し、そこからテキストデータを抽出する。このテキストデータは無線結合を通じて無線端末２０へ送信される。
【０００８】
本発明のいくつかの実施形態によれば、放送メディア受信器１０はビデオ信号及び／又は音声信号をも放送メディア信号から抽出しうる。ビデオ信号はビデオディスプレイ３０へ供給されうる。ビデオディスプレイ３０はテレビ画面、コンピュータモニタ、フラットパネルディスプレイ、ＣＲＴ、液晶ディスプレイ又はビデオ信号を表示するための他の装置から構成されうる。音声信号はビデオディスプレイ３０内部のスピーカに供給されうる。いくつかの実施形態において、放送メディア信号は、ＮＴＳＣ(National Television Standards Committee)信号、ＰＡＬ(Phase Alternate Lines)信号、ＳＥＣＡＭ(Sequential Couleur Avec Memoire)信号及び／又はＨＤＴＶ(High Definition Television)信号と言った放送テレビ信号と、埋め込まれたテキストデータから構成されうる。他の実施形態では、放送メディア信号は従来のＦＭ、ＡＭラジオ、または衛星信号と、埋め込まれたテキストデータとから構成されうる。更に別の実施形態では、放送メディア信号はディジタルビデオディスク（ＤＶＤ）プレーヤ又は他のビデオ及び／又はオーディオソースから供給されうる。
【０００９】
放送メディア受信器１０は例えば、テレビ受像機又は他のビデオ画面と結合されるセットトップボックスの一部として実現されても良い。セットトップボックスとテレビジョン受像機とは、例えば電気的なケーブルによって結合される。本発明の他の実施形態において、放送メディア受信器１０はビデオディスプレイ３０と一体化されてもよく、この場合個別のセットトップボックスは不要である。
【００１０】
本発明の更に別の実施形態において、放送メディア受信器１０は複数の加入者にサービスを提供する中央処理システムを含んでも良い。中央処理システムは、テレビチャンネルサーチ、選択したチャネルの配信及び他のマルチメディア制御機能のような、ＴｉＶＯ社から供給されている従来のマルチメディアサービスを含んでも良い。中央処理システムはマルチメディア信号からテキストデータを抽出し、無線結合（セルラ、無線ＬＡＮ、衛星又は他の無線プロトコル）を介して、及び／又は、無線結合を介して無線端末２０と通信可能な他の装置（例えば電話又は無線システムへのネットワーク接続を有するセットトップボックス）を通じた情報のルーティングを介して、無線端末２０と通信する。
【００１１】
本発明のいくつかの実施形態によれば、無線端末２０はＰＤＡ及び／又は無線電話機であってよい。本発明の一実施形態において、放送メディア受信器１０と無線端末２０との間の無線結合は、ブルートゥースプロトコルを用いて与えられる。ブルートゥースプロトコルは、例えばSailesh Rathi著、“ブルートゥースプロトコルアーキテクチャ”、Dedicated System Magazine, 2000 Q4, ２８−３３ページに開示されている。この開示を参照により本明細書の一部とする。本発明の別の実施形態において、無線結合は、符号分割多元アクセス（ＣＤＭＡ）、広帯域ＣＤＭＡ、ＣＤＭＡ２０００、ＵＭＴＳ、ＥＤＧＥ、時分割多元アクセス（ＴＤＭＡ）及びＧＳＭを含みうるセルラ通信プロトコルの少なくとも１つによって与えられる。なお、セルラ通信プロトコルはここに列挙したものに限定されない。本発明の他の実施形態において、無線結合は、ＩＥＥＥ８０２．１１ｂのような無線ローカルエリアネットワーク（ＷＬＡＮ）プロトコルや、赤外線通信プロトコルを用いて与えられる。
【００１２】
図２は、本発明の実施形態に係る放送メディア受信器１０のブロック図を示す。放送メディア受信器１０はコントローラ２００、チャネルチューナ２１０、無線送受信器２２０、ビデオアンプ２３０、オーディオアンプ２４０、メディアストレージ装置２５０及びアンテナ２６０を含みうる。
【００１３】
チャネルチューナ２１０は、地上波及び／又は衛星放送から、及び／又は電気ケーブルから、放送メディア信号を受信するように構成されうる。チャネルチューナ２１０は放送メディア信号の１つ又はそれより多い、同調されたチャネルをコントローラ２００へ出力しうる。コントローラ２００は放送メディア信号の形式を整え、ビデオアンプ２３０及び／又はオーディオアンプ２４０で増幅させた後、ビデオディスプレイ３０へ供給することができる。
【００１４】
放送メディア信号中にテキストデータが存在する場合、コントローラ２００はテキストデータを抽出し、アンテナ２６０から送信するために無線送受信器２２０へ供給する。いくつかの実施形態において、コントローラ２００はテキストデータを抽出するためのクローズドキャプションデコーダを含みうる。クローズドキャプションデコーダは米国電子工業会（ＥＩＡ）規格ＥＩＡ−６０８に従って動作しうる。コントローラ２００及び／又は無線送受信器２２０は、ブルートゥースプロトコル、セルラ通信プロトコル、ＷＬＡＮプロトコル、赤外線及び／又は他の無線プロトコルに従って、無線通信の形式を合わせることができる。放送メディア信号は、メディアストレージ装置２５０に記録されていても良い。メディアストレージ装置２５０は、磁気ストレージ装置、光ストレージ装置及び／又は不揮発性半導体メモリ装置を含みうるが、これらに限定されない。いくつかの実施形態において、放送メディア信号は無線端末２０から無線送受信器２２０を介して受信されうる記録コマンドに応答して記録される。
【００１５】
放送メディア信号は、テキストデータをディスプレイ用にどのような体裁としうるかについての命令を含んでも良い。この命令は放送メディア信号から抽出された後、無線端末２０へ送信される。そして、無線端末２０において、テキストデータの体裁を整える処理及び表示に用いられるであろう。いくつかの実施形態において、この命令は、ＨＴＭＬ(hypertext markup language)、ＸＭＬ(extensible markup language)、ＪＡＶＡ（登録商標）言語、ＢＲＥＷ言語、及び／又はＷＡＰ(wireless application language)を含む、しかしこれらには限定されない従来の言語に従って、テキストデータの体裁を規定しうる。
【００１６】
このようにして、本発明の実施形態はユーザにクローズドキャプションテキストを無線端末２０で見ることを可能にするであろう。このような視聴は、ＴＶモニタがうるさい待合区域に置かれている空港ターミナルのような場所などにおいて、テレビ番組の音声が聞こえない場合に有用であろう。さらに、クローズドキャプションテキストがテレビに表示されない場合及び／又は、ユーザがテレビ上のクローズドキャプションテキストを読むのに不都合がある場合やそれが出来ない場合に、クローズドキャプションテキストを無線端末２０で読めることは有用である。
【００１７】
本発明の実施形態はさらに、テキストデータのコンテンツに応答して、放送メディア信号及び／又はテキストデータに対する他の操作が開始するようにすることも可能である。例えば、テレビ番組又はコマーシャルのスポンサーが、ユーザがスポンサーに連絡することを可能にする情報をテレビ信号に埋め込むことができる。この連絡情報は、話し言葉(spoken words)をそのテレビ信号と共に送信されるクローズドキャプションテキストデータに変換して埋め込むことができる。送信されるテキストデータは、電話番号、論理ネットワークアドレス、プログラム命令及び／又はソフトウェアコードを含みうる。
【００１８】
本発明のいくつかの実施形態において、放送メディア受信器１０はテキストデータを放送メディア信号から抽出することができ、さらにそのテキストデータを、そのデータがユーザに表示されるであろう無線端末２０へ送信することができる。そして、ユーザが表示された電話番号又は、表示された他の関連する証印(indicia)を選択すると、無線端末２０がその電話番号へ発呼する。同様に、ユーザは表示される論理ネットワークアドレス又は、表示された他の関連する証印(indicia)を選択すると、無線端末２０がネットワーク接続を開始する。
【００１９】
他の実施形態において、ユーザは、将来の参照用として、テキストデータを無線端末２０に保存することができる。無線端末２０はユーザがテキストデータを、別の無線端末、電話機及び／又はコンピュータを含む他の装置、に転送出来るように構成されても良い。いくつかの実施形態において、テキストデータは、インターネットメールサービス及び／又はセルラショートメッセージサービス（ＳＭＳ）を介して転送されうる。
【００２０】
他の実施形態において、放送メディア受信器１０及び／又は無線端末２０は、テキストデータ中に１つ以上のキーワード又は他の条件が存在するかどうかを判別するように構成される。いくつかの実施形態において、テキストデータは、テレビ番組名、個人名、電話番号又は論理ネットワークアドレス、ユーザにより定義されうる文字列、プログラム命令及び／又はソフトウェアコードについてサーチされうる。放送メディア受信器１０がこのサーチを実行する場合、テキストデータは、その中でサーチされた単語や条件が見つかったことに応答して無線端末２０へ送信されうる。
【００２１】
無線端末２０がこのサーチを実行する場合、無線端末はサーチされた単語や条件の発見に応答してユーザへ通知しうる。このような通知は、ユーザへの信号音の発生及び／又は視覚的な合図の表示を含みうる。
【００２２】
他の実施形態において、無線端末２０は、放送メディア受信器１０にテキストデータ及び／又は放送信号をメディアストレージ装置２５０へ保存させるためのメッセージを送信することができる。無線端末２０は加えて、またその代わりに、チャネルチューナ２１０がコントローラ２００に提供している１つ又は複数のチャネルを変更させるためのメッセージを放送メディア受信器１０に送信することができる。このようにして、ユーザは、現在及び／又はこれからのテレビイベントのスケジュールを見たり、放送メディア受信器１０にテレビイベントの記録やテレビチャネルの変更を指示したりするために、無線端末２０を用いることができる。
【００２３】
放送メディア受信器１０が、複数の加入者にサービスを提供する中央処理システムを含む場合、ユーザは、中央処理システムに加入者アカウントに固有な１つ又は複数の機能を実行するように指示するため、無線端末２０を通じて通信することができる。例えば、ユーザは中央処理システムに対し、テレビイベントの記録、選択したチャネルのユーザが選択した装置への送信、及び／又は、中央処理システムで別のサーチが行われるような条件の定義を指示することができる。
【００２４】
本発明のいくつかの実施形態によれば、放送メディア受信器は、図３のブロック図に示される動作を実行しうる。ブロック３００で、放送メディア信号が受信される。ブロック３１０でテキストデータが放送メディア信号から抽出される。ある動作モードにおいては、テキストデータの内容をチェックすることなく、抽出されたテキストデータをブロック３３０で送信するような判定がブロック３２０でなされる。他の動作モードにおいて、ブロック３２０では、ブロック３４０−３６０のそれぞれで、テキストデータが論理ネットワークアドレス、電話番号又はキーワードが含まれていると判定された場合にのみ、抽出されたテキストデータをブロック３３０で送信するような判定がなされる。
【００２５】
いくつかの実施形態において、論理ネットワークアドレスは、ネットワーク上の装置を特定するためのＵＲＬ(Uniform Resource Locator)又は他のアドレスを含みうる。ブロック３６０でのキーワード比較は、ユーザが定義したかもしれない１つ又は複数のキーワードに対してなされる。ブロック３６０での判定は、抽出されたテキストデータの、テレビ番組名、個人名、電話番号又は論理ネットワークアドレス、規定された文字列、プログラム命令及び／又はソフトウェアコードについてのサーチを含みうる。
【００２６】
図４は、本発明の実施形態に係る無線端末の動作ブロック図を示す。テキストデータはブロック４００で受信可能であり、ブロック４１０でユーザに表示される。いくつかの実施形態においては、ユーザは表示されたテキストの全て又は一部を、他の動作を開始するために選択することができる。無線端末２０は、ユーザにテキスト選択を可能にさせるためのタッチパネルディスプレイ、ボタン、及び／又はジョイスティックを含みうる。ユーザの選択はブロック４２０で検出される。選択されたテキストが電話番号の場合、ブロック４３５で、無線端末２０は選択された電話番号を発呼及び／又は保存する。
【００２７】
無線端末２０はネットワークへ接続するようにも構成されうる。いくつかの実施形態において、無線端末はインターネットブラウザを含みうる。選択されたテキストが論理ネットワークアドレスである場合、ブロック４４５で、無線端末２０はそのインターネットブラウザを通じて無線ネットワーク接続を開始してもよい。いくつかの実施形態において、ネットワーク接続は、論理ネットワークアドレスを、ネットワーク接続の確立が可能な他の装置へ通信することによって開始されても良い。
【００２８】
ブロック４５０で記録コマンドを、あるいはブロック４６０でチャネル選択コマンドを無線端末２０に送信させるため、ユーザは表示されたテキストを選択することも可能であるが、（例えば無線端末２０のボタン、スイッチ及び／又はディスプレイの一部を選択することにより）入力を与えることもできる。記録コマンドに応答して、放送メディア受信器１０はテキストデータ及び／又は放送信号をメディアストレージ装置２５０へ記録することができる。チャネル選択コマンドに応答して、放送メディア受信器１０はチャネルチューナ２１０がコントローラ２００へ提供する１つ又は複数のチャネルを変更することができる。
【００２９】
図面及び明細書において、本発明の代表的な実施形態を説明してきた。具体的な単語を用いたけれども、それは総称的かつ説明的な意味合いで用いられたものであり、限定を目的としたものではない。本発明の範囲は特許請求の範囲に記載されている。例えば、本発明の実施形態が１つ又は複数の機能、もしくは少なくとも１つの機能グループを含むものとして説明されている場合、本技術分野に属する当業者はその実施形態がそれら機能のうちただ１つを実施するようにも構成されうること、またそれら機能の複数を実施するように構成されうることを理解するであろう。
【図面の簡単な説明】
【００３０】
【図１】本発明の実施形態に係る放送メディア受信器、無線端末及び方法を示すブロック図である。
【図２】本発明の実施形態に係る放送メディア受信器のブロック図である。
【図３】本発明の実施形態に係る放送メディア受信器の動作フローチャートである。
【図４】本発明の実施形態に係る無線端末の動作フローチャートである。
【図１】
2006506894.tif 000003
【図２】
2006506894.tif 000004
【図３】
2006506894.tif 000005
【図４】
2006506894.tif 000006
【国際調査報告】
2006506894.tif 000007
2006506894.tif 000008